(57)【要約】【課題】軸体の側方からブラシの取付け、取外しが容易にできると共に、ブラシ片を簡単かつ容易に交換できる洗車機用洗浄ブラシ、及び前記洗車機用洗浄ブラシを搭載した洗車機を提供する。【解決手段】自動車洗浄用あるいは車両洗浄用の洗車機用洗浄ブラシにおいて、前記洗車機用洗浄ブラシは、軸体、及び複数の連結体を有し、前記連結体は、台座、及びブラシ片を有すると共に、前記ブラシ片は、前記台座の外周部に形成されてあり、前記台座は前記軸体にたいして仮止め手段を有するか、あるいは前記台座は相互に仮止め手段を有するものである。【選択図】      図１
2008054932.tif 000002
【特許請求の範囲】
【請求項１】
自動車洗浄用あるいは車両洗浄用の洗車機用洗浄ブラシにおいて、前記洗車機用洗浄ブラシは、軸体、及び複数の連結体を有し、前記連結体は、台座、及びブラシ片を有すると共に、前記ブラシ片は、前記台座の外周部に形成されてあり、前記台座は前記軸体にたいして仮止め手段を有するか、あるいは前記台座は相互に仮止め手段を有することを特徴とする洗車機用洗浄ブラシ。
【請求項２】
請求項１記載の構成よりなる洗車機用洗浄ブラシにおいて、前記台座は、前記軸体にたいして側方から略垂直に当接し、前記軸体の長手方向に移動して保持されることを特徴とする洗車機用洗浄ブラシ。
【請求項３】
駆動源と、被洗浄面に散布する洗浄剤及び水を噴出させるノズルと、洗浄後の被洗浄面を乾燥させる乾燥手段を備えると共に、請求項１から２のいずれか１項に記載の洗車機用洗浄ブラシを搭載したことを特徴とする洗車機。
【発明の詳細な説明】
【技術分野】
【０００１】
本発明は、自動車あるいは車両の外面の被洗浄面に付着した汚れ等を洗浄する為の洗車機に使用する洗車機用洗浄ブラシ、及びその洗車機用洗浄ブラシを搭載した洗車機に関するものである。
【背景技術】
【０００２】
自動車あるいは車両の外面の被洗浄面に付着した汚れ等を洗浄する為の洗車機に使用する洗車機用洗浄ブラシ、及びその洗車機用洗浄ブラシを搭載した洗車機に関しては、使用目的に応じて、さまざまな改良がなされ、例えば、特に自動車の自動洗浄および／又は磨き上げシステム用に設計された、剛毛、フェルト又はこれらに類似するものを支持するための支持エレメントを含む改良ブラシであって、前記ブラシは、円筒形状のブラシ本体を画定する第１の複数の長い剛毛、フェルト又はこれらに類似するものと、前記長い剛毛またはフェルトの場合よりも短い長さを有する少なくとも第２の複数の剛毛、フェルト又はこれらに類似するものとを備えることを特徴とする改良ブラシが、特表２００３−５１２１１４号公報に開示されてある。
【０００３】
また、特に自動洗車設備において使用する回転ブラシの製造方法であって、2つの同軸心状円筒部材の中間部に合成樹脂が形成されてあり、可撓性洗浄要素が外方向に突出している円筒形状の洗浄ブラシが特開平９−２８５３３９号公報に開示されてある。
【０００４】
【特許文献１】特表２００３−５１２１１４号
【特許文献１】特開平９−２８５３３９号
【発明の開示】
【発明が解決しようとする課題】
【０００５】
従来の洗車機用洗浄ブラシ、及びその洗車機用洗浄ブラシを搭載した洗車機は、例えば、上記の如くの特徴を有する技術が開示されてあるが、特表２００３−５１２１１４号に開示されてある技術において、ブラシは、シート状に形成されてある台座にブラシ片が植毛されてあり、軸体の外周面に台座を巻付けて固定される。その為、取付け時には軸体の裏側に回し込んだ後、巻きつけて止める構造であり、極めて作業性が困難あるという課題を有していた。
【０００６】
また、特開平９−２８５３３９号に開示されてある技術においては、ブラシは円筒状の台座にブラシ片が植毛されてあり、軸体端面より台座をはめ込み積層されて軸体に固定される。その為、台座挿入時には、軸体を洗車機より取外すことが必要な為、極めて作業性が困難という課題を有していた。また、円筒状の台座は軸体端面より積層されてある為、中央部の台座のみを交換する場合においても、中央部の台座に隣接して積層された台座を取外さないと交換できないという課題を有していた。また、上記と同様に、台座に仮止め手段を用いた技術が無い為、台座を軸体に押付けながら取付ける必要があった為、極めて作業性が困難であるという課題を有していた。
【０００７】
本発明は、上記のような課題を解決する為になされたもので、台座が、軸体にたいして仮止め手段を有するか、あるいは前記台座は相互に仮止め手段を有することで、前記台座は、軸体の側方からブラシの取付け、取外しが容易にできると共に、ブラシ片を簡単かつ容易に交換できる洗車機用洗浄ブラシ、及び前記洗車機用洗浄ブラシを搭載した洗車機を提供することを目的としている。
【課題を解決するための手段】
【０００８】
請求項1の洗車機用洗浄ブラシは、前記台座が、前記軸体にたいして仮止め手段を有するか、あるいは前記台座は相互に仮止め手段を有する。したがって、軸体にたいして、脱落等が無く保持できると共に、相互にても保持できる。その為、ブラシの取付け、取外しにおいて、安全、迅速かつ容易にできる。
【０００９】
請求項２の洗車機用洗浄ブラシは、前記台座は、前記軸体にたいして側方から略垂直に当接し、前記軸体の長手方向に移動して保持される。その為、台座を軸体に乗せて移動させることができる。その為、軸体にたいして、少ない押付け力で保持できる。
【００１０】
請求項３の洗車機は、駆動源と、被洗浄面に散布する洗浄剤及び水を噴出させるノズルと、洗浄後の被洗浄面を乾燥させる乾燥手段を備えると共に、請求項１から２のいずれか１項に記載の洗車機用洗浄ブラシを搭載したものである。したがって、洗車機用洗浄ブラシの取付け、取外しにおいて、軸体を洗車機から取外すことなく洗車機用洗浄ブラシの取付け、取外しが迅速かつ容易にできる。
【００１１】
また、本発明の洗車機は、駆動源と、被洗浄面に散布する洗浄剤及び水を噴出させるノズルと、洗浄後の被洗浄面を乾燥させる乾燥手段を備えると共に、請求項１から２記載の洗車機用洗浄ブラシを搭載したもので、前記軸体、及び複数の前記連結体を有する洗車機用洗浄ブラシが搭載されてある。その為、洗車機用洗浄ブラシの取付け、取外しにおいて、軸体を洗車機から取外すことなくブラシ片が装着されてある連結体の取付け、取外しが迅速かつ容易にできる。また、軸体にたいして連結体を構成する台座を仮止めにより吊るすことができる為、台座を押付けながら取付け作業をすることが無く、簡単に作業ができる。
【発明の効果】
【００１２】
請求項１の洗車機用洗浄ブラシは、前記台座が、前記軸体にたいして仮止め手段を有するか、あるいは前記台座は相互に仮止め手段を有する。その為、台座は軸体にたいして脱落が無く保持できるか、あるいは台座は相互に保持できる為、軸体にたいして、取付け、取外し時において、作業者が、台座を保持すること無く、安全、迅速かつ容易に作業ができる。
【００１３】
請求項２の洗車機用洗浄ブラシは、前記台座は、前記軸体にたいして側方から略垂直に当接し、前記軸体の長手方向に移動して保持される。その為、軸体にたいして、少ない押付け力にて保持できる。また、台座は軸体にたいして位置ズレ、脱落等が無く保持できる。
【００１４】
請求項３の洗車機は、駆動源と、被洗浄面に散布する洗浄剤及び水を噴出させるノズルと、洗浄後の被洗浄面を乾燥させる乾燥手段を備えると共に、請求項１から２のいずれか１項に記載の洗車機用洗浄ブラシが搭載されてある。その為、洗車機用洗浄ブラシの取付け、取外しにおいて、軸体を洗車機から取外すことなくブラシ片が装着されてある連結体の取付け、取外しが迅速かつ容易に可能にできる。また、軸体にたいして連結体を構成する台座を仮止めにより吊るす事ができる為、台座を押付けながら取付け作業をする事が無く、簡単に作業ができる。
【発明を実施するための最良の形態】
【００１５】
第１の発明は、自動車洗浄用あるいは車両洗浄用の洗車機用洗浄ブラシにおいて、前記洗車機用洗浄ブラシは、前記台座が、前記軸体にたいして仮止め手段を有するか、あるいは前記台座は相互に仮止め手段を有する。その為、台座が軸体にたいして、脱落等が無く保持できると共に、相互にても保持できる為、軸体に対して、ブラシの取付け、取外しにおいて、作業者が、台座を保持すること無く、安全、迅速かつ容易に作業ができる。その為、ブラシの取付け、取外しの作業時間が短縮できると共に、作業の簡素化ができる。
【００１６】
第２の発明は、第１の発明の洗車機用洗浄ブラシにおいて、前記台座は、前記軸体にたいして側方から略垂直に当接し、前記軸体の長手方向に移動して保持される。その為、台座を軸体に乗せて移動させることができる。その為、軸体にたいして、少ない押付け力で保持できる。また、台座は軸体にたいして位置ズレ、脱落等が無く保持できる。その為、高速回転で使用した場合においても、極めて高い安全兼ね備えて使用することができる。
【００１７】
第３の発明は、駆動源と、被洗浄面に散布する洗浄剤及び水を噴出させるノズルと、洗浄後の被洗浄面を乾燥させる乾燥手段を備えると共に、請求項１から２のいずれか１項に記載の洗車機用洗浄ブラシが搭載されてある。その為、洗車機用洗浄ブラシの取付け、取外しにおいて、軸体を洗車機から取外すことなくブラシ片が装着されてある連結体の取付け、取外しが迅速かつ容易に可能にできる。また、軸体にたいして連結体を構成する台座を仮止めにより吊るす事ができる為、台座を押さえつけながら取付け作業をする事が無く、簡単に作業ができる。その為、洗車機用洗浄ブラシ交換が極めて容易に短時間に作業できる。
【００１８】
以下、本発明の実施の形態について図面を参照しながら説明する。なお、この実施の形態により本発明が限定されるものではない。
【００１９】
（実施例１）
図１から図４にて実施例１を示す。図１は、本発明の実施例１における洗車機用洗浄ブラシの正面図、図２は、図１の側面図、図３は、図１のＡ−Ａ断面図、図４（Ａ）及び（Ｂ）は、台座の斜視図である。  
【００２０】
図１から図４の如く、洗車機用洗浄ブラシ１は、軸体２、及び複数の連結体３を有し、連結体３は、台座４、及びブラシ片５を有すると共に、ブラシ片５は、台座４の外周部に形成されてあり、合成樹脂発泡体が使用されてある。また、台座４は、図４の如く、内壁面に嵌合片７５が形成されてあり、嵌合片７５は、図３の如く、軸体２に形成された穴部７６にたいして嵌合されてある。また、台座４は軸体２にたいしてボルト８にて固定されてある。また、連結体１３は、台座１４にたいしてブラシ片５がリベット７にて固定されてある。また、台座４、１４は合成樹脂からなる一体成形にて形成されてある。
【００２１】
また、図２の如く、台座４、１４は、概半円筒形状に形成されてあり、外周部に凸部１０を有する溝部９が形成されてあり、ブラシ片５は、溝部９に、ブラシ片５の略中央部を折り込んでリベット７にて固定されてある。
【００２２】
また、図４（Ａ）の如く、台座４は側面に４ヶ所のツメ部３０が形成されてあり、台座１４は図４（Ｂ）の如く、側面に４ヶ所の嵌合部４０を有する穴部２０が形成されてある。洗車機用洗浄ブラシ１の組付け、取外し時においては、台座４のツメ部３０は、台座１４の穴部２０に挿入された後、嵌合部４０にて仮止め固定される。その為、台座４及び台座１４は、軸体２に仮止め固定されると共に、台座４及び台座１４は、互いに仮止め固定される。その為、台座４、１４を軸体２にたいして吊るすことができる。また、台座４、１４の嵌合片７５を軸体２の穴部７６にたいして側方から当接させて軸体２の長手方向に移動させて作業ができる。
【００２３】
実施例１の洗車機用洗浄ブラシ１は上記の構成となっているので、台座４、１４は軸体２にたいして仮止め固定できる。また、台座４及び台座１４は互いに仮止め固定できる。また、台座４、１４は軸体２にたいして吊るす事ができる。また、台座４、１４を横置きの軸体２の上方に乗せて軸体２の長手方向に移動できる。その為、台座４が軸体２にたいして、脱落等が無く保持できると共に、相互にても保持できる為、軸体２に対して、ブラシ片が装着されてある連結体の取付け、取外しにおいて、作業者が、台座４を保持すること無く、安全、迅速かつ容易に固定作業ができる。その為、洗車機用洗浄ブラシの取付け、取外しの作業時間が短縮できると共に、作業の簡素化ができる。
【００２４】
また、台座４、１４の材料としては上記の如く、合成樹脂以外にも、使用する目的に応じて、適時、塩化ビニル、アルミ、鉄、ステンレス、合成ゴム等を使用する形態も採用できる。
【００２５】
また、ブラシ片５の材料としては前記の如く、合成樹脂発泡体以外にも使用する目的に応じて、適時、布帛、人工皮革、合成皮革、合成樹脂、フイルム状樹脂組成物等を使用する形態も採用できる。また、形状、配置状態、個数等についても、使用目的に応じて、適時、設定しても何ら支障は無い。
【００２６】
また、嵌合片７５は、台座と樹脂一体成形で形成されてあるが、別体にて製作後、台座４、１４の内壁より挿入固定する形態も採用できる。
【００２７】
（実施例２）
図５にて実施例２を示す。図５（Ａ）は、実施例２における洗車機用洗浄ブラシに使用するチャンネルブラシの斜視図、（Ｂ）は、（Ａ）のチャンネルブラシを使用した洗車機用洗浄ブラシの側面図である。
【００２８】
洗車機用洗浄ブラシ１１は、図５（Ａ）及び（Ｂ）の如く、軸体２の側方から台座２４、３４がボルト（図示せず）にて固定されてあり、台座２４、３４の溝部９にはチャンネルブラシ５０が挿入されて嵌合されてある。また、チャンネルブラシ５０は、概コの字形状の帯状体３７、及び芯線３６にてはさみつけて形成されてある。また、上記以外の台座２４、３４の構造は、前記実施例１の台座４、１４と同じ形態である。
【００２９】
実施例２の洗車機用洗浄ブラシ１１は、上記の構成となっているので、ブラシ片３５の材質として、多数本のフィラメント状の線材を使用した場合においても、チャンネルブラシ５０は、概コの字形状の帯状体３７、及び芯線３６にてブラシ片３５をはさみつける事ができる為、洗浄時に車体の隙間、凹凸等の洗い残しが無いと共に、高い洗浄性を発揮できる。また、チャンネルブラシ５０のみを台座２４、３４から脱着させて交換できる。
【００３０】
また、チャンネルブラシ５０の固定方法としては、前記の方法以外にも、カシメ、接着、溶接等固定可能であるならばいかなる形態も採用できる。
【００３１】
（実施例３）
図６にて実施例３を示す。図６は、本発明の洗車機用洗浄ブラシを搭載した洗車機である。
【００３２】
図６の如く、洗車機９１は、本発明の実施例１の洗車機用洗浄ブラシ１が搭載されてあり、洗車機用洗浄ブラシ１は駆動減９２により回転される。ノズル９３からは、被洗浄面にたいして、洗浄剤、及び水が散布され、洗車機用洗浄ブラシ１により洗浄され、洗浄後は、乾燥機９４等の乾燥手段により被洗浄面が乾燥される。
【００３３】
実施例３の洗車機９１は、上記の如くの構成となっているので、洗車機用洗浄ブラシ１の取付け、取外しにおいて、軸体を洗車機９１から取外すことなくブラシの取付け、取外しが迅速かつ容易に可能にできる。また、軸体にたいして連結体を構成する台座を仮止めにより吊るす事ができる為、台座を押さえつけながら取付け作業をする事が無く、簡単に作業ができる。
【産業上の利用可能性】
【００３４】
本発明の洗車機用洗浄ブラシ及び洗車機は、主に、自動車あるいは車両の外面の被洗浄面に付着した汚れ等を洗浄する為の洗車機用洗浄ブラシ、及び前記洗車機用洗浄ブラシを搭載した洗車機として使用する。
【図面の簡単な説明】
【００３５】
【図１】本発明の洗車機用洗浄ブラシの正面図
【図２】図１の側面図
【図３】図１のＡ−Ａ断面図
【図４】（Ａ）台座の斜視図、（Ｂ）台座の斜視図
【図５】（Ａ）本発明の実施例２における洗車機用洗浄ブラシに使用するチャンネルブラシの斜視図、（Ｂ）（Ａ）のチャンネルブラシを使用した洗車機用洗浄ブラシの側面図
【図６】本発明の洗車機用洗浄ブラシを搭載した洗車機の正面図
【符号の説明】
【００３６】
１、１１  洗車機用洗浄ブラシ
２  軸体
３、１３  連結体
４、１４、２４、３４  台座
５、３５  ブラシ片
７  リベット
８  ボルト
９  溝部
１０  凸部
２０、７６  穴部
３０  ツメ部
４０  嵌合部
３６  芯線
３７  帯状体
５０  チャンネルブラシ
７５  嵌合片
９１  洗車機
９２  駆動源
９３  ノズル
９４  乾燥機
【図１】
2008054932.tif 000003
【図２】
2008054932.tif 000004
【図３】
2008054932.tif 000005
【図４】
2008054932.tif 000006
【図５】
2008054932.tif 000007
【図６】
2008054932.tif 000008